(57)【特許請求の範囲】
【請求項１】
合成樹脂製の付け爪本体と、上記付け爪の人体の爪と接する面に形成してある粘着剤層とを有し、
上記粘着剤層は、付け爪側に付着した状態が保たれるように粘着剤と付け爪の表面を侵す触媒との混合剤で構成され、
上記粘着剤層の厚みは、付け爪において人体の爪に対応する箇所の真中部分を厚めとし、両端を薄くした
ことを特徴とする付け爪の構造。
【請求項２】
合成樹脂にて人体の爪に対応するように付け爪本体を形成し、人体の爪と接する面の全体あるいは一部に形成される粘着剤層が、付け爪側に付着した状態が保たれるように粘着剤と付け爪の表面を侵す触媒との混合剤で構成され、かつ粘着剤層の厚みは、付け爪において人体の爪に対応する箇所の真中部分を厚めとし、両端を薄くした
ことを特徴とする付け爪の製造方法。
【発明の詳細な説明】
【０００１】
【発明の属する技術分野】
本発明は、使用者が自由に着脱できる付け爪の構造と、その製造方法に関するものである。
【０００２】
【従来の技術】
従来より種々の目的から付け爪が使用されている。付け爪の材料として通常は種々の合成樹脂素材が使用され、これを爪の形に加工して付け爪としている。この付け爪を人体の爪に着用するために、半永久着用の場合には、付け爪の裏面か人体の爪の表面に接着剤を塗布し、両者を接合することにより着用している。
【０００３】
また、付け爪の他に別塗りの平面状の粘着剤を用意しておき、使用の都度、平面状の粘着剤を爪に合わせて切り取って、これを付け爪の裏面か人体の爪の表面に粘着し、付け爪を人体の爪に押し付けて着用している。
【０００４】
【発明が解決しようとする課題】
上記の従来技術において、接着剤を用いて接合するものでは、付け爪を簡単に剥がすことができず、特別な薬品を使用しなければならず、使用に際して不便であるばかりではなく、爪にとっても好ましいものとはいえないものであった。
【０００５】
また、別塗りの平面状の粘着剤を用いて着用するものでは、爪の形状が平面ではなく複雑な局面であるので、爪に合わせて切り取るのが難しく、また隅々までぴったりと接合することが困難であった。更に、付け爪を剥がす際に、粘着剤が人体の爪側に残ることが多く爪を汚したり、この粘着剤を爪を傷付けないで除去するのが難しかった。また、再度付け爪を着用するには、再度別塗りの平面状の粘着剤から爪の形状に合わせて切り取らなければならず、上述した難しさを繰り返さなければならないという問題点があった。
【０００６】
また、上記の方法で使用する場合、付け爪の、爪の合成樹脂の素材の違いにより、粘着後の粘着力の強度にばらつきがあり、使用中に付け爪が脱落したり、また別塗りの平面状の粘着剤が人体の爪に残り、付け爪が剥がれてしまったりするという問題がった。これは平面状の粘着剤を製造する方法から、その粘着剤層の厚みが一定であり、人体の爪と付け爪の形状が絶えず一致することがないので、付け爪の使用中でも人体の爪と付け爪の間の隙間には粘着されている部分と、粘着されていない部分が発生し、使用時に付け爪が脱落する原因になっていた。
【０００７】
本発明の目的は、付け爪を人体の爪に軽く押さえるだけで何時でも着用することができ、軽く指で押し上げるだけで外すことができ、しかも外した後に粘着剤が人体の爪側に残ることがなく、同じ付け爪を繰り返し着用でき、従来の欠点を改良した爪の構造とその製造方法を提供することにある。
【０００８】
【課題を解決するための手段】
上記目的を達成するために、本発明の付け爪の構造は、合成樹脂製の付け爪本体と、上記付け爪本体の裏面のうち人体の爪と接する面に形成してある粘着剤層とを有し、この粘着剤層は、付け爪側に付着した状態が保たれるように粘着剤と付け爪の表面を侵す触媒との混合剤で構成され、上記粘着剤層の厚みは、付け爪において人体の爪に対応する箇所の真中部分を厚めとし、両端を薄くしていることを特徴としている。
【０００９】
また、本発明の付け爪の製造方法は、合成樹脂にて人体の爪に対応するように付け爪本体を形成し、上記付け爪の裏面のうち人体の爪と接する面の全体あるいは一部に形成される粘着剤層が、付け爪側に付着した状態が保たれるように粘着剤と付け爪の表面を侵す触媒の混合物で構成され、かつ粘着剤層の厚みは、付け爪において人体の爪に対応する箇所の真中部分を厚めとし、両端を薄くしたことを特徴としている。
【００１０】
上記の粘着剤層が粘着剤と付け爪の素材である合成樹脂の材質の表面を侵す触媒との混合品である理由は、合成樹脂の素材が異なっていても、この触媒により材質表面を侵し、粘着剤がより強く付け爪の材質に付着し、粘着剤が絶えず付け爪側に残り、人体の爪に移行しないようにしたもので、これにより従来のように人体の爪に粘着剤が残ることがなくなり、また粘着剤自体も改良された。
【００１１】
上記の粘着剤層の厚みを部分部分で変化させることにより、使用する人個人個人により千差万別の人体の爪の形状に、量産された付け爪の形状が多少違っていても、粘着された面全体に粘着剤が行き渡り、付け爪が人体の爪に付いている力を従来に比べ著しく増加され、使用時に付け爪が浮き上がったり、剥がれたりするという問題点が改良された。添付方法としては、スプレー法、塗布ブラシ、自動充填などの方法がある。
【００１２】
上記の付け爪用の合成樹脂材料としては、ポリエチレン、ポリプロピレン、ＡＢＳ、ＡＥＳ、ＥＶＡ、ＥＥＡ等が適宜用いられる。
【００１３】
上記の粘着剤としては、水溶性、溶剤性、ホットメルト性などの各種の市販されているもの、例えばオリバインＢＰＳ１１０９（東洋インキ製造（株））またはサイビノールＡＴ−５００、ＡＴ−１８１（サイデン（株））等を適宜使用できる。
【００１４】
上記の付け爪の表面を侵す触媒としては、いわゆるプライマリー処理剤を用いるもので、例えば、シリコンプライマー（ユニオン化学工業（株））やプラスチックプライマー３４９−１０２（関西ペイント（株））等が使用できる。
【００１５】
【発明の実施の形態】
以下、本発明の形態の一例を、図面に基づいて説明する。図１（ａ）は付け爪の裏面図である。先ず、付け爪本体１はここには１つのみ図示しているが、左右１０本の指の爪の計上にほぼ対応するようにその幅及び曲面を設定し、長さは人体の爪よりも長く設定して、例えばポリエチレン樹脂を用いて射出形成する。付け爪本体１の表面は、図示しないがマニキュアの色として好ましい色に着色したり、つやのある素材などを用いて模様を形成したり等、適宜の飾りが施されることもある。
【００１６】
次に、図１（ａ）〜（ｆ）に示すように、付け爪本体１の裏面の人体の爪と接する部分に、サイビノールＡＴ−１８１にシリコンプライマーを重量比３％で混合し、塗布ブラシによって粘着剤層２を形成する。このとき、粘着剤層２の厚みは（ｅ）の様に、付け爪において人体の爪に対応する箇所の真中部分を厚めにし、両端を薄くして厚みを違えた。その後４時間自然放置し乾燥させ、また、摂氏７０度の温度で５分間乾燥させた。この例について後述の方法によって実際に人体に装着してみたところ、所望の結果が得られた。
【００１７】
この様な構造の付け爪を着用する際には、単に粘着剤層２を、対応する人体の爪に押し付けるだけで良く、粘着剤層２の粘着力によって普通に指を使う程度では付け爪が脱落することはない。付け爪を外すときには、軽く指で付け爪の先端部を持ち上げると、付け爪が人体の爪から外れ、その際に粘着剤層２は、付け爪側に付着した状態が保たれ、人体の爪側に移行することはない。このため爪の汚れはなく、爪にとって有害な溶剤などを用いる必要もない。再び付け爪を着用したいときには、同様に爪に押し付ければ良く、粘着剤層２の粘着力が残っている限り何度でも着脱が可能である。
【００１８】
【発明の効果】
本発明は、以上説明したような形態で実施され、以下に記載されるような効果を奏する。
【００１９】
付け爪本体と粘着剤層が設けてあるので、着用が極めて容易にできる。また、一旦人体の爪に着用した付け爪を外す際に、粘着剤が人体の爪側に移行することがなく、常に付け爪側に付着した状態が保たれる。したがって人体の爪が汚れることがなく、有害な溶剤を使用しないので爪を痛めることもない。
【００２０】
粘着剤層の粘着力が残っている限り何度でも着脱ができるので、常時付け爪を持ち歩いて必要なときに着用し、不必要になったら取り外すことが、日常的に気楽にできる。
【００２１】
粘着剤層の厚みを変化させることにより、使用する人個人個人により千差万別の人体の爪の形状に、量産された付け爪の形状が多少違っていても、粘着された面全体に粘着剤が行き渡り、付け爪が人体の爪に付いている力を従来に比べ著しく増加され、使用時に付け爪が浮き上がったり、剥がれたりするという問題点が改良された。
【００２２】
また、本発明の付け爪の製造方法によって、容易に上記のような効果のある付け爪を簡単に製造でき、しかも安価に製造できる効果がある。
【図面の簡単な説明】
【図１】（ａ）（ｂ）は実施の形態の一例を示す裏面図、（ｃ）（ｄ）はＡ−Ａ線断面図、（ｅ）（ｆ）はＢ−Ｂ線断面図である。
【符号の説明】
１        付け爪本体
２        粘着剤層
【図１】
0003725649.tif 000002